(57)【要約】      （修正有）【課題】防水機能を有しながらデザイン性にも優れており、更にゴム素材により形成されているため、手にも柔らかく取り扱いしやすい小物入れを提供する。【解決手段】ゴム系素材からなる弾性復元力を有する小物入れ１において、一定の肉厚を有するハート形状の小物収納部２と王冠形状とした小物出し入れ部３、更には小物収納部２と小物出し入れ部３との間を結合部用クリップ以上の幅を有する結合部４からなり、結合部４においてはその内側に防水用凹条、防水用凸条が嵌合出来るようそれぞれ端部から端部まで直線状に設けられている事を特徴とする小物入れ１であるため、結合部４内側に設けられた防水用凹条と防水用凸条を嵌合させるための結合部用クリップにて挟持すれば、前述の防水用凹条に防水用凸条が嵌合して密着し防水する。【選択図】図１
0003199754.tif 000002
【実用新案登録請求の範囲】
【請求項１】
ゴム系素材からなる弾性復元力を有する小物入れ（１）において、一定の肉厚を有するハート形状の小物収納部（２）と王冠形状とした小物出し入れ部（３）、更には前記小物収納部（２）と小物出し入れ部（３）との間を結合部用クリップ（１０）以上の幅を有する結合部（４）からなり、前記結合部（４）においてはその内側に防水用凹条（５）、防水用凸条（６）が嵌合出来るようそれぞれ端部から端部まで直線状に設けられている事を特徴とする小物入れ（１）。
【請求項２】
結合部（４）内側に設けられた防水用凹条（５）と防水用凸条（６）を嵌合させるための結合部用クリップ（１０）が、第１挟持杆（１１）と第２挟持杆（１２）の一端部同士がヒンジ（１３）にて揺動可能に連結するとともに他端部同士を突部（１４）と係合する穴部（１５）にて係止固定可能に構成しており、小物入れ（１）の結合部（４）において第１挟持杆（１１）と第２挟持杆（１２）を折り合わせ状態により、結合部（４）の内側に設けられた防水用凹条（５）に防水用凸条（６）が嵌合して互いに密着し防水する一方、前記係止固定の係合を解除した時には、前記第１挟持杆（１１）と第２挟持杆（１２）は小物入れ結合部（４）の弾性復元力により、互いが離隔することを特徴とする請求項１に記載の小物入れ（１）。
【請求項３】
ゴム系素材がシリコンゴムである事を特徴とする請求項１に記載の小物入れ（１）。
【請求項４】
王冠形状とした小物出し入れ部（３）にストラップ穴（７）が設けられている事を特徴とする請求項１に記載の小物入れ（１）。
【考案の詳細な説明】
【技術分野】
【０００１】  本考案は、防水性を有しゴム系素材からなる小銭等の小物類を入れておく小物入れに関する。
【背景技術】
【０００２】  従来、防水性を有する小物入れとしては、ほとんどがスマートフォンやデジカメ等の電子機器類を入れるためビニールで出来た矩形の袋状小物入れが提供されている。この小物入れは例えばビニールの生地を熱融着し、小物の出し入れ口は樹脂製のチャックや防水性ファスナーとしている。【０００３】  一方で、小銭やチケット等を入れる防水性のあるものとしては、樹脂で成形された円筒形状のカラフルな小物入れも知られている。
【考案の概要】
【考案が解決しようとする課題】
【０００４】  しかしながら、前記ビニール等で出来た矩形の袋状の小物入れの場合、スマートフォン等の電子機器類を収納するため、小物入れ端部が即出し入れ口であるチャックやファスナーとして形成されており、見た目にも角ばったカードケースの厚みのあるものとなるため大変野暮ったく小銭等を収納する小物入れとしては、ビーチやプール等の場所で使用する場合の使い易さやデザイン性にも欠けているという課題が有った。【０００５】  一方の樹脂成形された円筒形状の小物入れは商品自体が樹脂のため大変固く、開口部の開け閉めも含めて取り扱いしづらいという課題が有った。【０００６】  そこで本考案は、上記課題を解決し、防水機能を有しながらデザイン性にも優れており、更にゴム素材により形成されているため、手にも柔らかく取り扱いしやすい小物入れの提供することを課題とする。
【課題を解決するための手段】
【０００７】  上記課題を解決するために本考案は、ゴム系素材からなる弾性復元力を有する小物入れ（１）において、一定の肉厚を有するハート形状の小物収納部（２）と王冠形状とした小物出し入れ部（３）、更には前記小物収納部（２）と小物出し入れ部（３）との間を結合部用クリップ（１０）以上の幅を有する結合部（４）からなり、前記結合部（４）においてはその内側に防水用凹条（５）、防水用凸条（６）が嵌合出来るようそれぞれ端部から端部まで直線状に設けられている事を特徴とする小物入れ（１）である。【０００８】  なお、本考案の小物入れの防水性の要である結合部（４）内側に設けられた防水用凹条（５）と防水用凸条（６）を嵌合させるための結合部用クリップ（１０）が、第１挟持杆（１１）と第２挟持杆（１２）の一端部同士がヒンジ（１３）にて揺動可能に連結するとともに他端部同士を突部（１４）と係合する穴部（１５）にて係止固定可能に構成しており、小物入れ（１）の結合部（４）において第１挟持杆（１１）と第２挟持杆（１２）を折り合わせ状態により、結合部（４）の内側に設けられた防水用凹条（５）に防水用凸条（６）が嵌合して互いに密着し防水する一方、前記係止固定の係合を解除した時には、前記第１挟持杆（１１）と第２挟持杆（１２）は小物入れ結合部（４）の弾性復元力により、互いが離隔することを特徴とする小物入れ（１）である。
【考案の効果】
【０００９】  本考案の小物入れは以上の様な構成であるから、請求項１記載の考案にあっては、小物出し入れ部が王冠形状であるため、小銭や畳んだ紙幣、アクセサリー、目薬等が出し入れしやすい形状となっている。又これら小物を収納しておく小物収納部が一定の肉厚と前後左右に厚みを有するハート形状でもあるため量的にも様々な物を収納することが出来る。【００１０】  請求項２記載の考案にあっては、結合部内側で端部から端部まで直線状に設けた防水用凹条と防水用凸条が結合部用クリップを用いて嵌合させ互いに密着し防水することが出来る優れたものとなる。更に前記結合部用クリップは一端同士がヒンジにて揺動可能に連結するとともに他端部同士を突部と該突部が係合する穴部にて係止固定可能に構成されているため、前記係止固定の係合を解除した時には、簡単に結合部用クリップの挟持杆同士が簡単に離隔することが出来る優れたものとなる。【００１１】  請求項３記載の小物入れによれば、素材自体がシリコンゴムで形成されるため、防水性の高さ、耐候性、耐久性に優れており、しかも手に柔らかく優しくなじみ、しかもアレルギー物質を含まないため環境にも優しく、その弾力により収納したものを衝撃から保護するという利点を有する優れたものとなる。【００１２】  請求項４記載の小物入れによれば、小物出し入れ部に設けられたストラップ穴にストラップを取り付ける事が出来、手にかけたり、又ネックストラップとすれば首からぶら下げてハンズフリーとなり大変便利なものとなる。
【図面の簡単な説明】
【００１３】
【図１】本考案の一実施例を示す斜視図である。
【図２】本考案の図１のものの平面図である。
【図３】本考案の図２のＡ−Ａ断面を示す図である。
【図４】本考案の図２のＢ−Ｂ断面を示す図である。
【図５】本考案の図２のＣ部の部分拡大図である。
【図６】本考案の小物入れの結合部を挟持するための結合部用クリップの一実施形態を示す斜視図である。
【図７】本考案の結合部用クリップにて挟持された小物入れの一使用状態を示す斜視図である。
【考案を実施するための形態】
【００１４】  以下、図１、図２、図３、図４、図５、図６及び図７にて本考案の小物入れを説明するが、本考案の実用新案登録請求の範囲に記載の考案を何ら限定するものではない。
【００１５】  図１はシリコンゴムからなる小物入れ（１）を示しており、一定の肉厚を有し、前後左右に厚みと丸みを帯びた形状からなるハート形状の小物収納部（２）と側面にストラップ穴（７）が設けられた王冠形状とした小物出し入れ部（３）が有り、これら小物収納部（２）と小物出し入れ部（３）との間に結合用クリップ（１０）が挟持出来る幅以上を有する結合部（４）からシリコンゴムで一体成形により形成されている。もちろんこの際塗装等の手段により小物出し入れ部（３）に着色して小物収納部（２）や結合部（４）とを色分けしても良い。
【００１６】  図２は図１のものを平面から見た図を示しており、王冠形状とした小物出し入れ部（３）が上部に行くほどテーパー状に広がっているため小物の出し入れがしやすい事が理解出来る。又結合部（４）の内側の防水用凸条（６）が端部から端部まで直線状に設けられている事がわかる。
【００１７】  図３は図２のＡ−Ａ断面を示しており、小物収納部（２）が一定の肉厚で有る事がわかり、小物出し入れ部（３）の王冠形状がテーパー状に広がっているのが更に良く理解出来る。なお前記結合部（４）の内側の防水用凸条（６）が図の防水用凹条（５）も同様に結合部（４）の内側の端部から端部まで直線状に設けられていることがわかる。
【００１８】  図４は図２のＢ−Ｂ断面を示しており、前記Ａ−Ａ断面と同様に小物収納部（２）が一定の肉厚で有る事、小物出し入れ部（３）が上部に行くほどテーパー状に広がっている事がわかる。
【００１９】  図５は図４のＣ部の部分拡大図であり、前記結合部（４）の内側に防水用凹条（５）、防水用凸条（６）が嵌合出来るよう、向かい合わせに形成されている事が理解出来る。
【００２０】  図６は、本考案の小物入れを挟持するための結合用クリップ（１０）を示しており、第１挟持杆（１１）と第２挟持杆（１２）の端部同士がヒンジ（１３）によって揺動可能に連結されているのがわかる。なお、小物入れ（１）の結合部（４）において第１挟持杆（１１）と第２挟持杆（１２）を折り合わせる状態によって結合部（４）の内側に設けられた前述の防水用凹条（５）に防水用凸条（６）が嵌合して密着し防水するのであるが、その際ヒンジ（１３）の他端部同士を突部（１４）と係合する穴部（１５）において係止固定して防水するのである。なお、前記係止固定の係合を解除、つまり穴部（１５）から突部（１４）を外せば結合部（４）自体の弾性復元力により簡単に第１挟持杆（１１）と第２挟持杆（１２）が離隔出来る。
【００２１】  図７は、本考案の小物入れの結合部（４）において結合用クリップ（１０）にて挟持された小物入れ（１）の一使用状態を正面から見た状態を示している。
【００２２】  なお、本考案における小物入れの各部の大きさ、形状、色合い等のデザイン、製造方法等は特に限定されない。もちろん中に入れる小物としては、コインなどの小銭、折り畳んだ紙幣、ネックレス、ピアス等のアクセサリー、チケット類、常備薬、目薬類、更には収納可能な大きさのキャンディやチョコレート類等のお菓子でも良く、逆に何も入れずに旅行先等で拾った例えば貝殻や小石等も入れても良い。
【００２３】  又、本考案の小物入れを挟持する結合部用クリップは、例えばポリプロピレン等の樹脂成形で製造したものが良く、こちらも大きさ、デザイン等は特に限定されない。なお、例えば第１挟持杆及び第２挟持杆の表面にラインストーンや彫刻文字等で装飾を施せば、小物入れ本体のハート形状、王冠形状と相まって見栄えの良いものとなる。もちろん挟持するためや係合の解除の回数による強度等の問題によっては例えば第１挟持杆及び第２挟持杆に金属棒を内部にインサート成形等の手段で設けておいても良い。
【００２４】  小物出し入れ部（３）に設けられたストラップ穴（７）に通すストラップも、例えばネックストラップを付ければ首から本考案の小物入れを下げる事が出来るため、使用するにしても両手が自由となり大変便利な形態とすることが出来る。
【産業上の利用の可能性】
【００２５】  本考案の小物入れは、海、川、プール等の水辺、更には温泉施設やスポーツジム、散歩等において例えば大切なカード類や大きな金額が入っている財布類から必要なだけの小銭や紙幣、チケット等を小分けして入れておくことが出来るため防犯上にも良く、取り扱いに便利な小物入れとして利用出来る。
【符号の説明】
【００２６】１    小物入れ
２    小物入れ収納部
３    小物入れ出し入れ部
４    結合部
５    防水用凹条
６    防水用凸条
７    ストラップ穴
１０  結合部用クリップ
１１  第１挟持杆
１２  第２挟持杆
１３  ヒンジ
１４  突部
１５  穴部
【図１】
0003199754.tif 000003
【図２】
0003199754.tif 000004
【図３】
0003199754.tif 000005
【図４】
0003199754.tif 000006
【図５】
0003199754.tif 000007
【図６】
0003199754.tif 000008
【図７】
0003199754.tif 000009